(57)【要約】【課題】  サイレントフェイルの誤検出に起因する不要な回線切替を抑制する。【解決手段】  動作監視手段は、当該ホットスタンバイ回線切替装置全体の動作状態および設定を制御する装置制御手段から当該装置の動作状態および設定状態を示す装置状態情報を収集し、装置状態情報が必然的にサイレントフェイルを発生または検出する特定状態であった場合に特定状態情報を出力する。切替監視手段は、受信手段が出力する対向局から受信する信号に係る監視情報に基づいてサイレントフェイルを検出し、動作監視手段が特定状態情報を出力していない場合には対向局に送信系の系構成の切り替えを要求する切替制御信号を送信手段を介して送信し、動作監視手段が特定状態情報を出力している場合には切替制御信号の出力を抑制する。【選択図】      図１
2014039112.tif 000002
【特許請求の範囲】
【請求項１】
対向局に信号を送信する現用系と予備系とを含む送信手段と、
前記対向局から信号を受信する受信手段と、
当該ホットスタンバイ回線切替装置全体の動作状態および設定を制御する装置制御手段と、
前記装置制御手段から当該ホットスタンバイ回線切替装置の動作状態および設定状態を示す装置状態情報を収集し、前記装置状態情報が必然的にサイレントフェイルを発生または検出する特定状態であった場合に前記特定状態を示す特定状態情報を出力する動作監視手段と、
前記受信手段が出力する前記対向局から受信する信号に係る監視情報に基づいて前記サイレントフェイルを検出し、前記動作監視手段が前記特定状態情報を出力していない場合には前記対向局に送信系の系構成の切り替えを要求する切替制御信号を前記送信手段を介して送信し、前記動作監視手段が前記特定状態情報を出力している場合には前記切替制御信号の出力を抑制する切替監視手段と
を備えることを特徴とするホットスタンバイ回線切替装置。
【請求項２】
前記切替監視手段は、前記受信手段が出力する前記監視情報が、前記対向局が送信した前記切替制御信号である場合、前記動作監視手段が前記特定状態情報を出力していない場合には前記送信手段の系構成の切り替えを指示する系切替信号を出力し、前記動作監視手段が前記特定状態情報を出力している場合には前記系切替信号の出力を抑制することを特徴とする請求項１に記載のホットスタンバイ回線切替装置。
【請求項３】
前記切替監視手段は、
前記動作監視手段に前記装置状態情報の取得を要求する装置状態要求手段と、
前記動作監視手段から取得した前記装置状態情報が前記特定状態情報か否かを識別する切替制御手段と、を備え、
前記動作監視手段は、
周期的に装置状態情報取得要求を送信して前記装置制御手段から前記装置状態情報を収集する装置状態取得手段と、
前記切替監視手段の要求に応じて、収集した前記装置状態情報を出力する取得要求受付手段と、を備え、
前記取得要求受付手段は、前記切替監視手段から要求されて出力する前記装置状態情報が、前記装置制御手段から収集してから所定の時間が経過している場合には、前記装置制御手段に再度装置状態情報取得要求を送信して前記装置状態情報を収集して出力する
ことを特徴とする請求項１または請求項２に記載のホットスタンバイ回線切替装置。
【請求項４】
前記動作監視手段は、
装置状態の所定の変化が生じるごとに前記装置制御手段が出力する前記装置状態情報を受信する装置状態受信手段と、
前記装置制御手段が出力した前記装置状態情報が前記特定状態情報か否かを識別して前記切替監視手段に出力する装置状態通知手段と、
を備えることを特徴とする請求項１または請求項２に記載のホットスタンバイ回線切替装置。
【請求項５】
前記切替監視手段は、
前記装置状態情報が前記特定状態情報である場合にオン（ＯＮ）に設定され、前記装置状態情報が前記特定状態情報でない場合にオフ（ＯＦＦ）に設定される切替抑制フラグと、
前記切替抑制フラグがオンの場合には、前記切替制御信号の出力または前記系切替信号の出力を抑制する切替制御手段と、を備え、
前記動作監視手段の前記装置状態通知手段は、識別した前記装置状態情報が前記特定状態情報の場合は前記切替抑制フラグをオンに設定する情報を、識別した前記装置状態情報が前記特定状態情報でない場合は前記切替抑制フラグをオフに設定する情報を、前記切替監視手段に出力することを特徴とする請求項４に記載のホットスタンバイ回線切替装置。
【請求項６】
前記特定状態は、当該装置がメンテナンス専用モード、装置立ち上げ状態および再立ち上げ状態のいずれかの状態であることを特徴とする請求項１乃至５のいずれかの請求項に記載のホットスタンバイ回線切替装置
【請求項７】
対向局から受信する信号に係る監視情報に基づいてサイレントフェイルを検出し、
当該ホットスタンバイ回線切替装置の動作状態および設定状態を示す装置状態情報を収集し、
前記サイレントフェイルを検出した際の前記装置状態情報が、必然的にサイレントフェイルを発生または検出する特定状態であることを示す特定状態情報か否かを識別し、
前記装置状態情報が前記特定状態情報でなかった場合には、前記対向局に送信系の系構成の切り替えを要求する切替制御信号を送信し、
前記装置状態情報が前記特定状態情報であった場合には、前記切替制御信号の出力を抑制する
ことを特徴とするホットスタンバイ回線切替方法。
【請求項８】
前記監視情報に基づいて前記対向局が送信した前記切替制御信号を検出し、
前記切替制御信号を検出した際の前記装置状態情報が前記特定状態情報か否かを識別し、
前記装置状態情報が前記特定状態情報でなかった場合には、前記対向局に信号を送信する現用系と予備系とを含む送信手段の系構成の切り替えを指示する系切替信号を出力し、
前記装置状態情報が前記特定状態情報であった場合には前記系切替信号の出力を抑制する
ことを特徴とする請求項７に記載のホットスタンバイ回線切替方法。
【請求項９】
前記装置状態情報を周期的に収集し、前記装置状態情報が前記特定状態情報か否かを識別する際の前記装置状態情報が、収集してから所定の時間が経過している場合には、最新の前記装置状態情報を収集しなおすことを特徴とする請求項７または請求項８に記載のホットスタンバイ回線切替方法。
【請求項１０】
前記装置状態情報は、当該ホットスタンバイ回線切替装置の装置状態に所定の変化が生じるごとに出力されることを特徴とする請求項７または請求項８に記載のホットスタンバイ回線切替方法。
【発明の詳細な説明】
【技術分野】
【０００１】
本発明は、ホットスタンバイ回線切替装置および切替方法に関し、特に、装置状態に起因してサイレントフェイルを誤検出した場合のホットスタンバイ回線切替装置および切替方法に関する。
【背景技術】
【０００２】
無線回線によりディジタル信号を伝送するディジタル無線システムでは、信頼性を向上するために、実際の通信に供されている現用系と予備として待機する予備系との２系統の無線送受信装置を備える構成となっている。そして、それらの２系統の無線送受信装置は、予備系も現用系と同じように常時動作させておき、現用系が故障した場合に即座に予備系に切り替えるホットスタンバイ回線切替装置として運用されている。
【０００３】
このような現用系と予備系を備えたホットスタンバイ回線切替装置においては、装置故障を検出した各部から出力される警報を用いて系の切り替えを行っている。特に、送信装置で発生する故障は、その出力電力を監視することで検出される。
【０００４】
しかし、送信装置に装置故障が生じているにもかかわらず警報が出力されない場合には、異常な信号が無線回線を通じて対向局の受信装置に伝送され、いわゆる、サイレントフェイルとなる。サイレントフェイルは、信号の送信側に障害原因がありながら当該局ではそれを認識せず、信号を受信する対向局側において異常信号として検出されるものである。
【０００５】
たとえば、データをフレーム化する符号回路や、変調器で使用している発振器の発振周波数に異常が生じたような場合は、送信装置の出力電力に異常は表れないにもかかわらず受信側の装置では信号の異常を検出する。また、外部要因で送信装置とアンテナ間のケーブルが断線したような場合には、送信装置はまったく正常にもかかわらず、受信側の装置で信号が断となる。地震等の外部からの衝撃に起因してアンテナ固定部の位置ずれや破損が生じた場合も同様の症状が発生する。
【０００６】
このような送信系の故障に起因するサイレントフェイルは対向局（受信局側）の受信装置で検出される。そして、このサイレントフェイルは、一般的に次のように対処されている。
【０００７】
信号の異常を検出した受信局側の受信装置は、信号異常の発生元が信号を受信した当該局にあるのか、それとも信号を送信してきた相手局（送信局側）にあるのかを切り分ける。その際に、信号の異常発生が気象条件による一時的なものであるか否かの切り分けも行う。そして、受信装置は、検出した信号異常の種別、継続時間および信号異常を検出している系等の所定の要件を考慮して、サイレントフェイル状態になっているか否かを判断する。
【０００８】
サイレントフェイル状態になっていると判断した受信装置は、当該局の送信装置から信号の送信元である送信局側の受信装置に対して、サイレントフェイルの発生を通知するとともに送信系の系切り替えを要求する切替要求信号を送信する。
【０００９】
サイレントフェイルが発生している送信局側は、この切替要求信号を受信局側から受信したことにより自局でサイレントフェイルが発生していることを認識する。そして、信号を送信している送信系の装置を現用系から予備系に切り替えるホットスタンバイ切り替えを実施する。
【００１０】
このように、サイレントフェイルが発生した場合には、それを受信局側で検出して送信局側に通知し、受信局側からサイレントフェイルが発生していることを通知された送信局側では送信系を現用系から予備系に切り替えて、回線の切り替えを行う。
【００１１】
しかし、サイレントフェイルを受信局側において誤検出したような場合には、誤検出に基づいて切替要求信号が送信局側に送信されてしまう。そして、誤検出に基づいて受信局側から送られてきた切替要求信号により不必要な回線切り替えが行われてしまう。
【００１２】
また、サイレントフェイルの通知である切替要求信号を送信局側で誤検出したような場合には、その誤検出した切替要求信号により不必要な回線切り替えが行われてしまう。
【００１３】
このように、サイレントフェイルの誤検出や切替要求信号の誤検出により不必要な回線切り替えが行われると、それにより回線エラーが多発するという問題がある。
【００１４】
このようなサイレントフェイルの誤検出や切替要求信号の誤検出を防ぐ技術として、例えば、特許文献１〜３に次のような技術が開示されている。
【００１５】
特許文献１には、受信した信号の送信元の端局に障害の原因があることが検出された場合には、中継先の局から障害発生を示す通知が送られてきても、自局の送信装置を切り替えないようにするホットスタンバイ回線切替装置が開示されている。これにより、障害発生を示す通知を受信した各局が、それぞれの対向局でサイレントフェイルが発生していると誤認識してしまうことによる不必要な系切り替えを防いでいる。
【００１６】
特許文献２には、受信装置で障害を検出し、回線劣化時に発せられる２つの異なる回線劣化警報の発生時間差を比較し、その時間差が一定値以上である場合には、対向局に対する回線切替信号の出力を停止するホットスタンバイ回線切替装置が開示されている。これにより、自然現象に起因して発生した回線劣化をサイレントフェイルと誤検出して不要な系切り替えを行なうことを防いでいる。
【００１７】
特許文献３には、サイレントフェイルを検出した受信局が送信局側に制御信号を送信して送信局側で回線を切り替える構成において、送信局側で誤って検出された制御信号を無効にするホットスタンバイ回線切替装置が開示されている。つまり、制御信号を伝送する回線の回線状態を監視することにより、受信装置の故障や無線回線で生じる気象条件に起因して誤って検出された制御信号を無効にする。これにより、不必要な回線切替動作を防止している。
【先行技術文献】
【特許文献】
【００１８】
【特許文献１】特許2616473号公報（特開平8-186561号公報）
【特許文献２】特許2735511号公報（特開平9-008706号公報）
【特許文献３】特許3705408号公報（特開2001-168772号公報）
【発明の概要】
【発明が解決しようとする課題】
【００１９】
しかしながら、上述した特許文献１〜３が開示する技術には次のような課題がある。
【００２０】
上述した特許文献１〜３が開示する技術のいずれにおいても、サイレントフェイルの検出や切替要求信号による系の切り替え動作と、ホットスタンバイ回線切替装置としての装置状態とは独立して制御されている。そのため、装置状態が特定の状態になっており、本来は系の切り替え動作が不要な状況下であっても、系の切り替えが実施されてしまい、不必要な切り替えによる回線エラーの多発を完全には防ぐことができない。
【００２１】
このことについて以下に説明する。
【００２２】
送信局側の装置状態や装置選択状態によっては、必然的に受信局側でサイレントフェイルと同じ状態を引き起こしてしまう場合がある。また、同様に受信局側の装置状態や装置選択状態によっては、受信局側でサイレントフェイルを誤検出してしまう場合がある。
【００２３】
つまり、装置の運用において、保守者が介在して一部の装置の保守調整や交換が行われる場合がある。このような状況下では運用中の装置に対して保守者が介在し、あえて運用状態とは異なる状態にする。このような状態として、例えば、「メンテナンス専用モード」、「装置立ち上げ状態」とか「再立ち上げ状態」と称するものがある。
【００２４】
「メンテナンス専用モード」は、装置状態の設定を通常の運用状態ではなく、保守を目的としてあえて設定を変更した装置モードである。例えば、「メンテナンス専用モード」時に「送信側を未出力状態に設定」した場合には、意図して設定した状態ではあるが送信信号が出力されない状態となる。また、同様に「受信側を未入力状態に設定」する場合もある。この場合は受信信号が入力されない。
【００２５】
また、「装置立ち上げ状態」とか「再立ち上げ状態」は、「メンテナンス専用モード」に該当しない状態であるが、装置を立ち上げたことで装置状態が正常の運用状態になっていない状態を云う。例えば、「電源再立ち上げ」においては、再立ち上げにより再設定などが行なわれ、それによって一時的に送信側が未出力状態となったり、受信側が未入力状態になったりする。
【００２６】
例えば、受信局側で上述した「メンテナンス専用モード」、「装置立ち上げ状態」とか「再立ち上げ状態」になっている場合には、サイレントフェイルを誤検出してしまい、不要な切替要求信号を送信してしまうことになる。そのため、正常な送信局側で不要な系構成の切り替えが行われてしまう。
【００２７】
また、送信局側で「メンテナンス専用モード」、「装置立ち上げ状態」とか「再立ち上げ状態」になっている場合には、受信局側は受信した信号の異常とその発生形態によりサイレントフェイルを正常に検出し、切替要求信号を出力してしまう。そして、その切替要求信号を受信した送信局側では本来は必要のない系構成の切り替えを行なってしまう。
【００２８】
このような装置状態や装置選択状態のときには、通常の運用状態とは区別した制御が必要とされる。そして、当該局が受信局側でサイレントフェイルと誤検出してしまうような装置状態になっている場合には、サイレントフェイルの検出を無効にする制御が望まれる。また、当該局が送信局側でサイレントフェイル状態と類似の現象を発生させるような装置状態になっている場合には、切替要求信号を受信してもその信号をマスクして系構成の切り替えの実施を抑制する制御が望まれる。
【００２９】
上記の課題に鑑みて、本発明の目的は、検出されたサイレントフェイルが装置状態に起因する場合に、不必要な系構成の切り替えの実施を抑制するホットスタンバイ回線切替装置および切替方法を提供することにある。
【課題を解決するための手段】
【００３０】
上記の目的を実現するために、本発明の一形態であるホットスタンバイ回線切替装置は、対向局に信号を送信する現用系と予備系とを含む送信手段と、前記対向局から信号を受信する受信手段と、当該ホットスタンバイ回線切替装置全体の動作状態および設定を制御する装置制御手段と、前記装置制御手段から当該ホットスタンバイ回線切替装置の動作状態および設定状態を示す装置状態情報を収集し、前記装置状態情報が必然的にサイレントフェイルを発生または検出する特定状態であった場合に前記特定状態を示す特定状態情報を出力する動作監視手段と、前記受信手段が出力する前記対向局から受信する信号に係る監視情報に基づいて前記サイレントフェイルを検出し、前記動作監視手段が前記特定状態情報を出力していない場合には前記対向局に送信系の系構成の切り替えを要求する切替制御信号を前記送信手段を介して送信し、前記動作監視手段が前記特定状態情報を出力している場合には前記切替制御信号の出力を抑制する切替監視手段を含むことを特徴とする。
【００３１】
また、本発明の他の形態であるホットスタンバイ回線切替方法は、対向局から受信する信号に係る監視情報に基づいてサイレントフェイルを検出し、当該ホットスタンバイ回線切替装置の動作状態および設定状態を示す装置状態情報を収集し、前記サイレントフェイルを検出した際の前記装置状態情報が、必然的にサイレントフェイルを発生または検出する特定状態であることを示す特定状態情報か否かを識別し、前記装置状態情報が前記特定状態情報でなかった場合には、前記対向局に送信系の系構成の切り替えを要求する切替制御信号を送信し、前記装置状態情報が前記特定状態情報であった場合には、前記切替制御信号の出力を抑制することを特徴とする。
【発明の効果】
【００３２】
本発明は、検出されたサイレントフェイルが装置状態に起因する場合に、不必要な系構成の切り替えの実施を抑制して回線エラーの多発を防ぐことができる。
【図面の簡単な説明】
【００３３】
【図１】本発明の第１の実施形態のホットスタンバイ回線切替装置の構成を示すブロック図である。
【図２】本発明の第１の実施形態のホットスタンバイ回線切替装置の動作を示すフロー図である。
【図３】本発明の第２の実施形態のホットスタンバイ回線切替装置の構成を示すブロック図である。
【図４】本発明の第２の実施形態のホットスタンバイ回線切替装置の装置制御部、動作監視部および切替監視部の構成を示すブロック図である。
【図５】本発明の第２の実施形態のホットスタンバイ回線切替装置の装置制御部、動作監視部および切替監視部の別の構成を示すブロック図である。
【図６】本発明の第２の実施形態のホットスタンバイ回線切替装置の動作監視部の動作を示すフロー図である。
【図７】本発明の第２の実施形態のホットスタンバイ回線切替装置の動作監視部の別の形態の動作を示すフロー図である。
【図８】本発明の第２の実施形態のホットスタンバイ回線切替装置の切替監視部の受信局側としての動作を示すフロー図である。
【図９】本発明の第２の実施形態のホットスタンバイ回線切替装置の切替監視部の受信局側としての別の形態の動作を示すフロー図である。
【図１０】本発明の第２の実施形態のホットスタンバイ回線切替装置の切替監視部の送信局側としての動作を示すフロー図である。
【図１１】本発明の第２の実施形態のホットスタンバイ回線切替装置の切替監視部の送信局側としての別の形態の動作を示すフロー図である。
【図１２】第２の実施形態のホットスタンバイ回線切替装置の変形例の構成を示すブロック図である。
【発明を実施するための形態】
【００３４】
本発明の実施の形態について図面を参照して詳細に説明する。
【００３５】
なお、実施の形態は例示であり、開示する発明は以下の実施の形態の構成には限定されない。
【００３６】
まず、図１および図２を参照して、本発明の基本実施形態である第１の実施形態を説明する。
【００３７】
図１は本発明の第１の実施形態のホットスタンバイ回線切替装置の構成を示すブロック図である。
【００３８】
第１の実施形態のホットスタンバイ回線切替装置１は、対向局に信号を送信する現用系と予備系とを含む送信手段１０、対向局から信号を受信する受信手段２０、装置制御手段３０、動作監視手段４０および切替監視手段５０を含んで構成される。
【００３９】
装置制御手段３０は当該ホットスタンバイ回線切替装置全体の動作状態および設定を制御する手段である。
【００４０】
動作監視手段４０は、装置制御手段３０から当該ホットスタンバイ回線切替装置の動作状態および設定状態を示す装置状態情報を収集する。そして、収集した装置状態情報が、必然的にサイレントフェイルを発生または検出する特定状態であった場合に、その特定状態を示す特定状態情報を出力する。
【００４１】
この特定状態の例としては、装置の運用において、保守者が介在して一部の装置の保守調整や交換が行われる状況があげられる。このような状況の例として、「メンテナンス専用モード」、「装置立ち上げ状態」とか「再立ち上げ状態」等がある。
【００４２】
「メンテナンス専用モード」では、装置状態の設定を通常の運用状態ではなく、保守を目的としてあえて設定を変更している。例えば、「送信側を未出力状態に設定」とか「受信側を未入力状態に設定」にした場合には、意図して設定した状態ではあるが送信信号が出力されない状態や受信信号が入力されない状態になる。
【００４３】
また、「装置立ち上げ状態」や「再立ち上げ状態」では、「メンテナンス専用モード」に該当しない状態であるが、装置を立ち上げたことで装置状態が正常の運用状態になっていない。例えば、「電源再立ち上げ」においては、再立ち上げにより再設定などが行なわれ、それによって一時的に送信側が未出力状態となったり、受信側が未入力状態になったりする。
【００４４】
装置状態が上述した「メンテナンス専用モード」、「装置立ち上げ状態」、「再立ち上げ状態」等になっていることが、必然的にサイレントフェイルを発生または検出する特定状態であると称する例である。装置制御手段３０は、当該装置全体の動作状態および設定状態を制御することでこのような装置状況を把握しており、動作監視手段４０は当該装置の動作状態および設定状態を示す装置状態情報を装置制御手段３０から収集する。
【００４５】
切替監視手段５０は、受信手段２０が出力する対向局から受信する信号に係る監視情報に基づいてサイレントフェイルを検出する。そして、動作監視手段４０が特定状態情報を出力していない場合には対向局に送信系の系構成の切り替えを要求する切替制御信号を送信手段１０を介して送信する。また、動作監視手段４０が特定状態情報を出力している場合には切替制御信号の出力を抑制する。これは、検出したサイレントフェイルの信頼性が乏しいからである。
【００４６】
次に、図２のフロー図を参照して第１の実施形態のホットスタンバイ回線切替装置の動作を説明する。
【００４７】
まず、対向局から受信する信号に係る監視情報に基づいてサイレントフェイルを検出する（Ｓ１０１）。
【００４８】
続いて、  当該ホットスタンバイ回線切替装置の動作状態および設定状態を示す装置状態情報を収集する（Ｓ１０２）。
【００４９】
このサイレントフェイルを検出した際の装置状態情報が、必然的にサイレントフェイルを発生または検出する特定状態であることを示す特定状態情報か否かを識別する（Ｓ１０３）。
【００５０】
装置状態情報が特定状態情報でなかった場合（Ｓ１０３、Ｎｏ）には、対向局に送信系の系構成の切り替えを要求する切替制御信号を送信する（Ｓ１０４）。
【００５１】
装置状態情報が特定状態情報であった場合（Ｓ１０３、Ｙｅｓ）には、切替制御信号の出力を抑制する。これは、当該局の装置状態が前記の特定状態になっているので、検出したサイレントフェイルの信頼性が乏しいと判断するためである。
【００５２】
このように、本実施形態のホットスタンバイ回線切替装置は、当該ホットスタンバイ回線切替装置の状態が必然的にサイレントフェイルを発生または検出する特定状態になっていることを識別した場合には、サイレントフェイルに対処する制御を抑制する。つまり、装置状態が特定状態であった場合は、サイレントフェイル検出が実際のサイレントフェイルとは別の原因、つまり設定変更状態や再立ち上げ状態を起因として発生したサイレントフェイルであると判断する。これにより、本実施形態のホットスタンバイ回線切替装置は、不必要な系切替の実施を抑制して回線エラーの多発を防ぐことができる。
【００５３】
次に、本発明の第２の実施形態を説明する。
【００５４】
図３は、本発明の第２の実施形態のホットスタンバイ回線切替装置の構成を示すブロック図である。
【００５５】
第２の実施形態のホットスタンバイ回線切替装置２を、図１に示した第１の実施形態のホットスタンバイ回線切替装置１の構成と対比して説明する。
【００５６】
第１の実施形態のホットスタンバイ回線切替装置１の送信手段１０と対応する構成として、第２の実施形態のホットスタンバイ回線切替装置２は無線変調部１１１、無線送信部１１２、送信側制御部１１３および送信側切替部１１４を含む。無線変調部１１１および無線送信部１１２は、それぞれ現用系と予備系が設備され、ホットスタンバイ切替構成となっている。
【００５７】
第１の実施形態のホットスタンバイ回線切替装置１の受信手段２０と対応する構成として、第２の実施形態のホットスタンバイ回線切替装置２は無線復調部１２１、無線受信部１２２、受信側制御部１２３および受信側切替部１２４を含む。無線復調部１２１および無線受信部１２２は、それぞれ現用系と予備系が設備され、ホットスタンバイ切替構成となっている。
【００５８】
第１の実施形態のホットスタンバイ回線切替装置１の装置制御手段３０および動作監視手段４０と対応する構成として、第２の実施形態のホットスタンバイ回線切替装置２は装置制御部１３０および動作監視部１４０を備える。
【００５９】
第１の実施形態のホットスタンバイ回線切替装置１の切替監視手段５０と対応する構成として、第２の実施形態のホットスタンバイ回線切替装置２は切替監視部１５０およびタイマー部１６０を備える。
【００６０】
送信系の機能を説明する。
【００６１】
装置制御部１３０より出力された送信方向に伝送するデータ（伝送データ）は、現用系と予備系のそれぞれの無線変調部１１１に入力する。現用系と予備系では、それぞれにおいて次の動作が行われる。
【００６２】
無線変調部１１１は伝送データを無線フレームフォーマットに変換し、装置制御部１３０で指定された無線変調方式に変調する。無線送信部１１２は無線変調部１１１にて変調された伝送データ信号を高周波の無線信号に変換して出力する。そして、現用系と予備系のそれぞれの無線送信部１１２が出力する無線信号は送信側切替部１１４に入力する。
【００６３】
送信側切替部１１４では、現用系として運転している無線送信部１１２の出力を現在運用中のアンテナを介して送出する。一方、予備系として運転している無線送信部１１２の出力は終端される。
【００６４】
送信側制御部１１３は現用系および予備系の無線変調部１１１および無線送信部１１２の運転の正常性を監視している。送信側制御部１１３はそれぞれの無線変調部１１１および無線送信部１１２から各機器の機器障害を示す情報を含む障害警報を受信する。また、送信側制御部１１３は、無線送信部１１２が出力する無線信号を直接入力して、無線送信部１１２の出力レベルの異常を検出するように構成されていてもよい。送信側制御部１１３は、例えば、現用系の無線送信部１１２の異常を検出した場合、送信側切替部１１４に指示を出して、送信系を現用系から予備系に切り替える。
【００６５】
系構成切り替えを行う場合、送信側切替部１１４は、現用系として運転している無線送信部１１２の出力を終端させ、予備系として運転している無線送信部１１２の出力を、運用を切り替えた側のアンテナを介して送出するように切り替えを行う。アンテナも冗長構成となっており、送信側切替部１１４がアンテナ系の障害警報に基づいて運用アンテナを個別に切り替えることもできる。
【００６６】
ここで、サイレントフェイル状態になった場合の送信系の機能を説明する。
【００６７】
まず、当該局が対向局のサイレントフェイルを検出した受信局側であった場合、送信系の各構成は以下のように機能する。なお、当該局が対向局のサイレントフェイルを検出する機能は受信系の機能なので、それについては後述する。
【００６８】
当該局は対向局である送信局側でサイレントフェイルが発生していることを検出すると、送信局側に系構成の切り替えを要求する切替制御信号を送信する必要がある。送信側制御部１１３は、この切替制御信号の送信指示を、後述するように切替監視部１５０から受信する。
【００６９】
切替制御信号の送信指示を受信した送信側制御部１１３は、切替制御信号を生成して、現用系と予備系のそれぞれの無線変調部１１１に送り込む。通常の伝送データの送信シーケンスと同様にして、現用系の無線変調部１１１に送り込まれた切替制御信号が対向局に送信される。
【００７０】
なお、この場合、切替監視部１５０が切替制御信号を生成して、送信側制御部１１３にその送信を指示する形態でもかまわない。
【００７１】
一方、当該局がサイレントフェイルを発生させている送信局側であった場合、送信系の各構成は以下のように機能する。なお、当該局がサイレントフェイルを発生させていることを識別する機能は受信系の機能なので、それについては後述する。
【００７２】
当該局は、当該局が送信局としてサイレントフェイルを発生させている旨の通知（切替制御信号）を対向局から受けると、送信系の系構成の切り替えを実行する必要がある。送信側制御部１１３は、この系構成の切り替えの指示（系切替信号）を、後述するように切替監視部１５０から受信する。
【００７３】
系切替信号を受信した送信側制御部１１３は、送信側切替部１１４に対して系構成の切り替えを指示する。系構成の切り替えの指示を受けた送信側切替部１１４は、現用系を予備系に、予備系を現用系に切り替える。つまり、送信側切替部１１４は、現用系として運転している無線送信部１１２の出力を終端させ、予備系として運転している無線送信部１１２の出力を、運用を切り替えた側のアンテナを介して送出する。
【００７４】
次に、受信系の機能を説明する。
【００７５】
運用中のアンテナから入力した高周波の無線信号は、現用系と予備系のそれぞれの無線受信部１２２に入力する。現用系と予備系では、それぞれにおいて次の動作が行われる。
【００７６】
無線受信部１２２は、対向局から受信した無線信号を低周波の伝送データ信号として出力する。無線復調部１２１は、無線受信部１２２が出力する変調がかかっている伝送データ信号を入力し、復調して所定の伝送データフォーマットに変換して出力する。現用系と予備系のそれぞれの無線復調部１２１が出力する伝送データフォーマットは受信側切替部１２４に入力する。
【００７７】
受信側切替部１２４では、現用系として運転している無線復調部１２１が出力する伝送データフォーマットを装置制御部１３０に送信する。一方、予備系として運転している無線復調部１２１の出力は終端される。
【００７８】
受信側制御部１２３は現用系および予備系の無線受信部１２２および無線復調部１２１の運転の正常性を監視している。受信側制御部１２３はそれぞれの無線受信部１２２および無線復調部１２１から各機器の機器障害を示す情報を含む障害警報を受信する。
【００７９】
ここで受信側制御部１２３はそれぞれの無線復調部１２１の出力を直接入力して、それぞれの無線復調部１２１が出力する信号の異常、例えば、フレーム同期外れやビットエラー率を検出するように構成されていてもよい。または、それぞれの無線復調部１２１が自らそれらを検出して、上述した障害警報に含めて受信側制御部１２３に出力するように構成されていてもよい。
【００８０】
受信側制御部１２３は、例えば、現用系の無線受信部１２２や無線復調部１２１の機器障害を検出した場合、受信側切替部１２４に指示を出して、受信系を現用系から予備形に切り替える。受信側制御部１２３は、現用系の無線受信部１２２や無線復調部１２１から明示的な機器障害警報を受信した場合にこの系構成切り替えを行う。また、無線復調部１２１が出力する信号の異常が特定の系に偏って発生するなどして、その系の機器障害が疑われる場合にも系構成切り替えを行う。
【００８１】
系構成切り替えを行う場合、受信側切替部１２４は、現用系として運転している無線復調部１２１の出力を終端させ、予備系として運転している無線復調部１２１の出力を装置制御部１３０に送信する切り替えを実施する。
【００８２】
次に、サイレントフェイル状態になった場合の受信系の機能を説明する。
【００８３】
まず、当該局が対向局のサイレントフェイルを検出する受信局側であった場合、受信系の各構成は以下のように機能する。
【００８４】
対向局から受信する信号の異常はフレーム同期外れやビットエラー率（ＢＥＲ）の悪化という形で検出される。例えば、無線回線の劣化状態がビットエラー率で監視される場合、無線回線の劣化状態は、若干の劣化が見られる「ＬＯＷ  ＢＥＲ」、劣化が激しい状態を示す「ＨＩＧＨ  ＢＥＲ」、無線回線が完全に断となっている状態を示す「ＬＯＳ」等の警報情報として識別される。この警報情報は、無線復調部１２１で識別して受信側制御部１２３に出力するように構成されていてもよい。または、受信側制御部１２３が無線復調部１２１の出力を直接入力して、受信側制御部１２３が信号の異常の程度を識別するように構成されていてもよい。
【００８５】
受信側制御部１２３は、現用系および予備系のそれぞれの無線復調部１２１の出力がどちらも同じであった場合、それを、機器の異常を判断する情報として使用することなく無線回線の状態を示す情報として使用する。逆に、前述したように現用系または予備系の片方からのみ異常な出力を検出した場合には、どちらかの系の機器障害と判断される。
【００８６】
受信側制御部１２３は、この無線回線の劣化状態を示す情報（障害検知情報）を切替監視部１５０に伝達する。このように、本実施形態では、明らかな機器障害は受信側制御部１２３が系構成切り替えとして処理し、無線回線の劣化状態を示す情報は障害検知情報として受信側制御部１２３から切替監視部１５０に伝達される。そして、その障害検知情報の扱いは切替監視部１５０の制御に委ねられる。
【００８７】
切替監視部１５０は、障害検知情報を受信側制御部１２３から受信すると、その障害検知情報に基づく無線回線の異常が、対向局に対して系構成の切り替えを要求する必要がある状況なのか否かを判定する。例えば、無線回線が完全に断となっている状態を示す「ＬＯＳ」の警報情報が所定の時間以上継続して伝達されているような場合には、対向局に対して系構成の切り替えを要求する必要があると判定する。この警報情報が所定の時間以上継続することの監視は、タイマー部１６０に含まれる警報監視タイマー（不図示）により行われる。
【００８８】
対向局に対して系構成の切り替えを要求する必要があると判定した切替監視部１５０は、次に、動作監視部１４０を介して当該局の装置状態を確認する。
【００８９】
動作監視部１４０の機能については後述するが、当該装置の状態が特殊な状態になっていないことを動作監視部１４０からの情報で確認すると、切替監視部１５０は、前述した切替制御信号の送信を送信側制御部１１３に指示する。切替制御信号の送信側制御部１１３への送信指示は、前述したとおりである。つまり、当該受信局は、無線回線の異常の原因が対向局である送信局側にあると判断し、切替制御信号を送信して送信局側に対して系構成の切り替えを要求する。
【００９０】
なお、切替監視部１５０は、障害検知情報の受信に基づいて系構成の切り替えを要求する際に、タイマー部１６０に含まれる切替要求保護タイマー（不図示）を用いて保護時間を計時する。これは、保護時間を設けないと短時間で切替制御信号が繰り返して送信されてしまうので、そのような状態になることを防ぐためである。つまり、切替制御信号を送信して送信局側に対して系構成の切り替えを要求したとしても、送信局側で系構成の切り替えを完全に実施するまでは障害検知情報の受信が継続しているので、次に実施する切り替え要求を許容するまでの保護時間を設けている。
【００９１】
例えば、切替監視部１５０は、障害検知情報から対向局に対して系構成の切り替えを要求する必要があると判定し、当該局の装置状態が特殊な状態になっていないことを確認すると、切替要求保護タイマーが起動中か否かを確認する。切替要求保護タイマーが動作していない場合には、切替監視部１５０は切替制御信号を出力する。そして、切替制御信号を出力した後、タイマー部１６０に対して切替要求保護タイマーの起動を指示する。一方、切替要求保護タイマーが動作している場合には、保護時間内での検出と判断して、切替監視部１５０は切替制御信号の出力を取り止める。
【００９２】
なお、上記の実施形態では、切替監視部１５０が障害検知情報を受信側制御部１２３から受信し、当該障害検知情報の継続を警報監視タイマーで確認することにより対向局に対して系構成の切り替えを要求する必要があると判定する旨とした。そして、その後、動作監視部１４０からの情報で当該装置の状態が特殊な状態になっていないことを確認するとした。しかし、動作監視部１４０からの情報で当該装置の状態が特殊な状態になっていないことを確認する動作を、警報監視タイマーによる障害検知情報の継続の確認動作の中で一連の動作として行うようにしてもよい。
【００９３】
一方、当該局がサイレントフェイルを発生させている送信局側であった場合、受信系の各構成は以下のように機能する。
【００９４】
前述した切替制御信号が無線受信部１２２、無線復調部１２１で受信され、受信側制御部１２３に送られる。受信側制御部１２３は切替制御信号を識別して切替監視部１５０に伝達する。または、切替監視部１５０が受信制御部１２３から直接受信する信号から切替制御信号を識別する形態でもよい。
【００９５】
切替監視部１５０は、対向局から送られた切替制御信号を受信した場合、当該局がサイレントフェイルを発生させていることを認識する。この場合、切替監視部１５０は、当該局の装置状態が特殊な状態になっていないかどうかを、後述するように、動作監視部１４０を介して確認する。
【００９６】
当該局の装置状態が特殊な状態になっていないことを動作監視部１４０からの情報で確認すると、切替監視部１５０は、送信系の系構成の切り替えを指示する系切替信号を送信側制御部１１３に送信する。系切替信号の送信側制御部１１３への送信は、前述したとおりである。つまり、系切替信号を受信した送信側制御部１１３は、送信側切替部１１４に対して系構成の切り替えを指示する。そして、系構成の切り替えの指示を受けた送信側切替部１１４は、現用系を予備系に、予備系を現用系に切り替える。このとき、アンテナの系構成も切り替えられる。
【００９７】
なお、切替監視部１５０は、切替制御信号の受信に基づく切り替え実施時の保護時間を、タイマー部１６０に含まれる切替実施保護タイマー（不図示）を用いて計時する。これは、短時間で繰り返して切替制御信号を受信したような場合に、切替動作がバタつくことを防止するためで、切り替えを実施してから次に切り替えを実施するまでの保護時間を設けている。
【００９８】
例えば、切替監視部１５０は、切替制御信号を受信し、当該局の装置状態が特殊な状態になっていないことを確認すると、切替実施保護タイマーが起動中か否かを確認する。切替実施保護タイマーが動作していない場合には、切替監視部１５０は系切替信号を出力する。そして、系切替信号を出力した後、タイマー部１６０に対して切替実施保護タイマーの起動を指示する。一方、切替実施保護タイマーが動作している場合には、保護時間内での受信と判断して、切替監視部１５０は系切替信号の出力を取り止める。
【００９９】
なお、上記の実施形態では、切替監視部１５０が切替制御信号の受信を識別し、当該局の装置状態が特殊な状態になっていないことを確認することにより系切替信号を出力するとした。しかし、これらの動作をタイマー部１６０に含まれる切替要求制御タイマー（不図示）で時限監視して、切替制御信号の受信から系切替信号の出力までの時間を所定時間となるように制御してもよい。
【０１００】
次に、装置制御部１３０、動作監視部１４０および切替監視部１５０の機能を説明する。
【０１０１】
装置制御部１３０は、当該ホットスタンバイ回線切替装置の装置全体の統括制御部として機能する。装置制御部１３０は、伝送データの送受信に係る設定や変調方式、データ伝送速度などの装置全般に係る設定を保持している。また、装置制御部１３０は、装置の運用状態も管理し、当該装置の動作状態および設定状態を示す装置状態情報を保持している。
【０１０２】
装置状態情報には、必然的にサイレントフェイルを発生または検出するような特定状態であることを示す特定状態情報を含む。
【０１０３】
この特定状態の例としては、第１の実施形態で説明したように「メンテナンス専用モード」、「装置立ち上げ状態」とか「再立ち上げ状態」等がある。
【０１０４】
「メンテナンス専用モード」では、装置状態の設定を通常の運用状態ではなく、保守を目的としてあえて設定を変更している。例えば、「送信側を未出力状態に設定」とか「受信側を未入力状態に設定」にした場合には、意図して設定した状態ではあるが送信信号が出力されない状態や受信信号が入力されない状態になる。
【０１０５】
また、「装置立ち上げ状態」や「再立ち上げ状態」では、「メンテナンス専用モード」に該当しない状態であるが、装置を立ち上げたことで装置状態が正常の運用状態になっていない。例えば、「電源再立ち上げ」においては、再立ち上げにより再設定などが行なわれ、それによって一時的に送信側が未出力状態となったり、受信側が未入力状態になったりする。
【０１０６】
装置制御部１３０は、当該装置全体の動作状態および設定状態を制御することでこのような装置状況を把握している。
【０１０７】
図４および図５を参照して、装置制御部１３０、動作監視部１４０および切替監視部１５０の関連性を説明する。図４と図５はそれぞれ異なる形態を説明する図である。
【０１０８】
図４は、動作監視部１４０が周期的に、または切替監視部１５０の指示で装置制御部１３０に対して装置状態を要求して取得する形態を説明する図である。
【０１０９】
図５は、装置状態の変化が生じるごとに装置制御部１３０が動作監視部１４０に対して装置状態情報を通知する形態を説明する図である。
【０１１０】
図４の形態を説明する。
【０１１１】
動作監視部１４０は、装置状態取得ユニット１４１、記憶ユニット１４２および取得要求受付ユニット１４３を含む構成となっている。図４に示す動作監視部１４０は、装置状態取得ユニット１４１が周期的に装置制御部１３０に対して装置状態情報取得要求を送信する。装置制御部１３０は、その要求に応答する形でその時点の装置状態情報を動作監視部１４０に送信する。装置状態取得ユニット１４１は、装置制御部１３０から受信した装置状態情報を記憶ユニット１４２に記憶保持する。上記動作が周期的に行われて、記憶ユニット１４２には常に最新の装置状態情報が保持されている。
【０１１２】
一方、切替監視部１５０は、切替制御ユニット１５１、監視情報受信ユニット１５２、制御信号出力ユニット１５３、装置状態要求ユニット１５４および記憶ユニット１５５を含む構成になっている。
【０１１３】
監視情報受信ユニット１５２は、当該局が前述した受信局側の場合には障害検知情報を、また送信局側の場合には切替制御信号を受信側制御部１２３から受信する。制御信号出力ユニット１５３は、当該局が前述した受信局側の場合には切替制御信号を、また送信局側の場合には系切替信号を送信側制御部１１３に出力する。
【０１１４】
切替制御ユニット１５１は、監視情報受信ユニット１５２で受信した障害検知情報に基づいて対向局のサイレントフェイルを検出した場合は切替制御信号を送信するための制御を実行する。また、切替制御ユニット１５１は、監視情報受信ユニット１５２で受信した切替制御信号に基づいて当該局のサイレントフェイルの発生を認識した場合は系切替信号を送信するための制御を実行する。切替制御ユニット１５１は、切替制御信号の送信や系切替信号の送信を制御するために、装置状態要求ユニット１５４に対して動作監視部１５０からの装置状態情報の取得を指示する。
【０１１５】
切替監視部１５０の装置状態要求ユニット１５４が動作監視部１４０に送信した装置状態情報の取得要求は、動作監視部１４０の取得要求受付ユニット１４３で受け付けられる。
【０１１６】
動作監視部１４０の取得要求受付ユニット１４３は、記憶ユニット１４２に常に更新蓄積されている装置状態情報を取得して切替監視部１５０の装置状態要求ユニット１５４に返送する。
【０１１７】
上記の説明では、動作監視部１４０の取得要求受付ユニット１４３は、取得要求に応じて記憶ユニット１４２に蓄積されている装置状態情報を返送するものとした。しかし、取得要求受付ユニット１４３は、記憶ユニット１４２に蓄積されている装置状態情報を取得する際に、装置状態取得ユニット１４１を介して装置制御部１３０に最新の装置状態情報を要求するように構成してもよい。例えば、記憶ユニット１４２に蓄積されている装置状態情報が、更新蓄積されてから所定の時間が経過している場合に、装置制御部１３０に最新の装置状態情報を要求するように構成してもよい。
【０１１８】
切替監視部１５０の装置状態要求ユニット１５４は、動作監視部１４０から受信した装置状態情報を記憶ユニット１５５に蓄積し、受信した旨を切替制御ユニット１５１に通知する。
【０１１９】
切替制御ユニット１５１は、記憶ユニット１５５に蓄積された装置状態情報の種別に基づいて切替制御信号の送信や系切替信号の送信を制御する。つまり、切替制御ユニット１５１は、装置状態情報が、「メンテナンス専用モード」、「装置立ち上げ状態」、「再立ち上げ状態」のような特定状態情報であるか否かを確認する。そして、装置状態情報がその特定状態情報でないという条件で、切替制御ユニット１５１は切替制御信号や系切替信号の出力を制御信号出力ユニット１５３に指示する。一方、装置状態情報がその特定状態情報であった場合には、切替制御ユニット１５１は切替制御信号や系切替信号の出力を抑制する。そのため、制御信号出力ユニット１５３に対する出力指示は出されない。
【０１２０】
次に、図５の形態を説明する。
【０１２１】
この形態では、装置状態の変化が生じるごとに装置制御部１３０が動作監視部１４０に対して装置状態情報を通知し、その情報が切替監視部１５０に伝達されるというものである。そのため、動作監視部１４０は装置制御部１３０に対して、また、切替監視部１５０は動作監視部１４０に対して、それぞれ情報の提供を要求する必要がない。
【０１２２】
動作監視部１４０は、装置状態受信ユニット１４４、記憶ユニット１４２および装置状態通知ユニット１４５を含む構成となっている。
【０１２３】
装置制御部１３０は、装置状態や装置動作に所定の変化が生じた場合には、動作監視部１４０に通知する。例えば、通常の運用状態では通常運転情報が、そして「メンテナンス専用モード」、「装置立ち上げ状態」、「再立ち上げ状態」のような変化が生じた場合には、それぞれに対応する特定状態情報が動作監視部１４０に伝達される。
【０１２４】
このような装置状態情報は、装置状態受信ユニット１４４で受信され、装置状態受信ユニット１４４は、受信した装置状態情報を記憶ユニット１４２に更新蓄積する。また、装置状態受信ユニット１４４は、装置制御部１３０から装置状態情報の通知があった旨を装置状態通知ユニット１４５に伝える。
【０１２５】
装置状態通知ユニット１４５は、装置状態受信ユニット１４４からの通知を受けると、記憶ユニット１４２に蓄積されている装置状態情報を取り出し、それを切替監視部１５０に送信する。
【０１２６】
一方、切替監視部１５０は、切替制御ユニット１５１、監視情報受信ユニット１５２、制御信号出力ユニット１５３、装置状態設定ユニット１５６および切替抑制フラグ１５７を含む構成になっている。この図５の切替監視部１５０は、装置状態設定ユニット１５６および切替抑制フラグ１５７を備える点において図４の形態の構成と異なる。
【０１２７】
動作監視部１４０が出力する装置状態情報は、装置状態設定ユニット１５６で受信される。装置状態設定ユニット１５６は、受信した装置状態情報が、通常運転情報なのか特定状態情報なのかを識別する。そして、その識別結果に応じて、切替抑制フラグ１５７の設定を行う。切替抑制フラグは、装置状態情報が通常運転情報の場合には「オフ（ＯＦＦ）」に設定され、装置状態情報が特定状態情報の場合には「オン（ＯＮ）」に設定される。切替抑制フラグＯＦＦは切替抑制を行わないことを意味し、切替抑制フラグＯＮは切替抑制を実行することを意味する。
【０１２８】
切替監視部１５０の監視情報受信ユニット１５２および制御信号出力ユニット１５３は、図４の形態と同じである。つまり、監視情報受信ユニット１５２は、当該局が前述した受信局側の場合には障害検知情報を、また送信局側の場合には切替制御信号を受信側制御部１２３から受信する。制御信号出力ユニット１５３は、当該局が前述した受信局側の場合には切替制御信号を、また送信局側の場合には系切替信号を送信側制御部１１３に出力する。
【０１２９】
切替制御ユニット１５１は、監視情報受信ユニット１５２で受信した障害検知情報に基づいて対向局のサイレントフェイルを検出した場合は切替制御信号を送信するための制御を実行する。また、切替制御ユニット１５１は、監視情報受信ユニット１５２で受信した切替制御信号に基づいて当該局のサイレントフェイルの発生を認識した場合は系切替信号を送信するための制御を実行する。
【０１３０】
そして、切替制御ユニット１５１は、切替制御信号を送信するための制御や系切替信号を送信するための制御の際に、切替抑制フラグ１５７の状態に従った制御を実行する。つまり、切替抑制フラグＯＦＦの場合には、切替制御ユニット１５１は切替制御信号や系切替信号の出力を制御信号出力ユニット１５３に指示する。一方、切替抑制フラグＯＮの場合には、切替制御ユニット１５１は切替制御信号や系切替信号の出力を抑制する。そのため、制御信号出力ユニット１５３に対する出力指示は出されない。
【０１３１】
なお、上記の説明において切替監視部１５０の装置状態設定ユニット１５６が、動作監視部１４０から受信した装置状態情報に基づいて切替抑制フラグのＯＮ／ＯＦＦを設定した。しかし、動作監視部１４０の装置状態通知ユニット１４５が通常運転情報なのか特定状態情報なのかを識別して、その結果に基づいて動作監視部１４０から切替監視部１５０に切替抑制フラグ設定情報として通知する形態にしてもよい。
【０１３２】
また、図４および図５のいずれの形態においても、切替監視部１５０は、タイマー部１６０を参照して前述したような、切替要求保護、切替実施保護、切替要求制御等の時間監視を行っている。
【０１３３】
以上のように、本実施形態では、装置制御部１３０、動作監視部１４０および切替監視部１５０の相互機能により、切替制御信号や系切替信号の出力を制御している。
【０１３４】
つまり、当該局が受信局側の場合で装置状態情報が特定状態情報であった場合には、検出したサイレントフェイルの信頼性が乏しいので、切替制御信号の出力を抑制する。例えば、当該局の受信系が、必然的に無線回線の断状態を検出するような装置状態になっていることが疑える。また、当該局が送信局側の場合で装置状態情報が特定状態情報であった場合には、受信した切替制御信号の信頼性が乏しいので、系切替信号の出力を抑制する。例えば、当該局の送信系が、切替制御信号を送信してきた対向局側において必然的に無線回線の断状態を検出するような、装置状態になっていることが疑える。
【０１３５】
次に、本実施形態の動作を説明する。
【０１３６】
図６〜図１１は、第２の実施形態のホットスタンバイ回線切替装置の動作を示すフロー図である。図６および図７は動作監視部１４０のそれぞれ異なる形態の動作を示す。図８および図９は当該局が受信局側である場合の切替監視部１５０のそれぞれ異なる形態の動作を示す。図１０および図１１は当該局が送信局側である場合の切替監視部１５０のそれぞれ異なる形態の動作を示す。
【０１３７】
図６は、図４に示した構成に対応した動作を示す。図６の左側のフロー図は動作監視部１４０が装置状態を装置制御部１３０から周期的に取得する動作を示す。そして、図６の右側のフロー図は動作監視部１４０が切替監視部１５０から装置状態情報の取得を要求されたときの動作を示す。
【０１３８】
図６の左側のフロー図において、動作監視部１４０は、所定の周期で装置状態情報の取得要求を装置制御部１３０に送信して、装置状態情報を装置制御部１３０から収集している（Ｓ２０１）。装置制御部１３０から収集した装置状態情報は記憶ユニット１４２に更新蓄積される（Ｓ２０２）。つまり、記憶ユニット１４２では装置制御部１３０から取得するごとに装置状態情報が上書きされる。なお、このとき、更新時刻も記録されるものとする。
【０１３９】
このような装置状態情報の取得が周期的に行われている一方、切替監視部１５０が前述したように切替制御信号や系切替信号の出力を制御するために、装置状態情報を動作監視部１４０に要求してくる（Ｓ３０１）。
【０１４０】
前述したステップＳ２０１とＳ２０２の装置状態情報の取得周期動作は、あまり頻繁に実行することは処理能力への影響や消費電力への影響の面から得策ではない。そこで、本実施形態では、鮮度時間を定義しておき、切替監視部１５０の取得要求に対して、記憶ユニット１４２に蓄積された装置状態情報の鮮度を確認するようにしている。例えば、更新後の所定時間内は記憶ユニット１４２に蓄積された装置状態情報を使い、その所定時間を過ぎている場合には鮮度が落ちたものとして、再度、装置制御部１３０から取り寄せる。
【０１４１】
そのため、切替監視部１５０から装置状態情報の取得を要求されたとき、記憶ユニット１４２に蓄積されている装置状態情報の更新時刻から、装置状態情報が所定の鮮度であるか否かを確認する（Ｓ３０２）。
【０１４２】
所定の鮮度が落ちている場合（Ｓ３０２、Ｎｏ）には、動作監視部１４０は、装置状態情報の取得要求を装置制御部１３０に送信して、装置状態情報を装置制御部１３０から収集する（Ｓ３０３）。そして、装置制御部１３０から収集した装置状態情報は記憶ユニット１４２に更新蓄積される（Ｓ３０４）。そして、記憶ユニット１４２に蓄積された装置状態情報を切替監視部１５０に送信する（Ｓ３０５）。
【０１４３】
一方、装置状態情報が所定の鮮度を保っている場合（Ｓ３０２、Ｙｅｓ）には、動作監視部１４０は、記憶ユニット１４２に蓄積されている装置状態情報を切替監視部１５０に送信する（Ｓ３０５）。
【０１４４】
続いて、図７の形態の動作監視部１４０の動作を説明する。
【０１４５】
図７は、図５に示した構成に対応した動作を示す。つまり、図７は、装置制御部１３０が装置状態を動作監視部１４０に通知し、動作監視部１４０がその情報を切替監視部１５０に通知するように動作する場合のフロー図である。また、この中で、切替監視部１５０が装置状態情報を識別して切替抑制フラグのＯＮ／ＯＦＦ制御を実施する動作形態を形態１、動作監視部１４０が装置状態情報を識別して切替抑制フラグのＯＮ／ＯＦＦ制御を実施する動作形態を形態２として分岐して示した。
【０１４６】
この動作の場合は、装置状態の変化が生じるごとに装置制御部１３０が動作監視部１４０に対して装置状態情報を通知し、その情報が切替監視部１５０に伝達される。
【０１４７】
装置制御部１３０は、装置状態や装置動作に所定の変化が生じた場合には、動作監視部１４０に通知する。その通知情報（装置状態情報）を動作監視部１４０で受信する（Ｓ４０１）。そして、動作監視部１４０では、受信した装置状態情報を記憶ユニット１４２に更新蓄積する（Ｓ４０２）。
【０１４８】
ここで動作監視部１４０と切替監視部１５０の動作形態により動作が異なる。前述のように、装置制御部１３０から受信した装置状態情報を、切替監視部１５０が識別して切替抑制フラグのＯＮ／ＯＦＦ制御を実施する動作形態を形態１とする。また、動作監視部１４０が装置状態情報を識別して切替抑制フラグのＯＮ／ＯＦＦ制御を実施する動作形態を形態２とする。
【０１４９】
形態１の場合、動作監視部１４０は、記憶ユニット１４２に蓄積された装置状態情報を切替監視部１５０に送信（Ｓ４１１）して動作を終了する。
【０１５０】
形態２の場合、動作監視部１４０は、記憶ユニット１４２に蓄積された装置状態情報を識別する動作を行う。そして、装置状態情報が特定状態か否かを判定する（Ｓ４２１）。装置状態情報が特定状態の場合（Ｓ４２１、Ｙｅｓ）、動作監視部１４０は、切替監視部１５０の切替抑制フラグをＯＮにする情報を出力する（Ｓ４２２）。また、装置状態情報が特定状態ではなく通常運転情報の場合（Ｓ４２１、Ｎｏ）、動作監視部１４０は、切替監視部１５０の切替抑制フラグをＯＦＦにする情報を出力する（Ｓ４２３）。
【０１５１】
以上が動作監視部１４０の動作である。続いて切替監視部１５０の動作を説明する。
【０１５２】
図８は当該局が受信局側である場合の切替監視部１５０の動作を説明するフロー図である。
【０１５３】
受信側制御部１２３は、無線回線の劣化状態を示す情報である障害検知情報を切替監視部１５０に伝達する。
【０１５４】
障害検知情報は、切替監視部１５０の監視信号受信ユニット１５２で受信され、切替制御ユニット１５１に伝えられる（Ｓ５０１）。切替制御ユニット１５１は、タイマー部１６０の警報監視タイマーにより、この受信した障害検知情報の所定の継続時間を監視して、無線回線の断線等のサイレントフェイルとみなせる障害か否かを判定する（Ｓ５０２）。
【０１５５】
警報監視タイマーが計時終了前に障害検知情報が消えてしまったような場合は、天候等による一過性の無線回線の劣化による障害検知と判断して処理を終了する（Ｓ５０２、Ｎｏ）。
【０１５６】
一方、警報監視タイマーが計時終了まで障害検知情報が継続した場合（Ｓ５０２、Ｙｅｓ）は、対向局でサイレントフェイルが発生しているとみなす。
【０１５７】
通常のサイレントフェイルが発生している場合には、対向局に対して送信系の系構成の切り替えを要求するための切替制御信号を送信する必要がある。しかし、前述したように必然的にサイレントフェイルと同等の状態を検出してしまう要因が当該局にあれば、切替制御信号を送信する必要はない。そこで、切替制御ユニット１５１は、装置状態要求ユニット１５４を介して動作監視部１４０に装置状態の情報を要求する。
【０１５８】
前述したように、動作監視部１４０の動作形態に応じて切替監視部１５０は装置状態情報を確認する（Ｓ５０３）。例えば、図６を参照して説明した動作形態では、切替監視部１５０が動作監視部１４０に要求して取得した装置状態情報を確認する。また、図７を参照して説明した動作形態では、切替監視部１５０に備えられた切替抑制フラグ１５７のＯＮ／ＯＦＦ状態を確認する。
【０１５９】
切替制御ユニット１５１は、取得した装置状態情報または切替抑制フラグＯＮ／ＯＦＦ状態に基づいて、当該局の装置が特定状態か否かを判定する（Ｓ５０４）。「特定状態」というのは前述したように、当該局が通常の運転状態ではなく、「メンテナンス専用モード」、「装置立ち上げ状態」、「再立ち上げ状態」のような、必然的にサイレントフェイルと同等の状態を検出してもおかしくない状態を作り出す装置状態を云う。
【０１６０】
装置状態の判定で当該局が特定状態ではないと判定した場合（Ｓ５０４、Ｎｏ）、切替制御ユニット１５１は切替制御信号の送信が必要であると判断する。
【０１６１】
切替制御信号の送信が必要であると判断した切替制御ユニット１５１は、タイマー部１６０の保護タイマーの動作状態を確認する（Ｓ５０５）。この保護タイマーは、前述したように、前回の切替制御信号の送信から所定の時間が経過する前に検出したサイレントフェイル状態の検出を無効にする保護時間を規定している。つまり、保護時間内のサイレントフェイル状態の検出は、前回の切替制御信号送信による処置が終了していないことに起因するものとみなす。そのため、保護タイマーが動作中（Ｓ５０５、Ｙｅｓ）は、切替制御信号の送信は不要であると判断する。
【０１６２】
保護タイマーが動作していない場合（Ｓ５０５、Ｎｏ）は、前回の切替制御信号の送信から所定の時間がすでに経過していることを意味し、切替制御ユニット１５１は切替制御信号の送信を制御信号出力ユニット１５３に指示する（Ｓ５０６）。
【０１６３】
切替監視部１５０が切替制御信号を生成する形態の場合、制御信号出力ユニット１５３が切替制御信号を生成して送信側制御部１１３にその送信を指示する。また、送信側制御部１１３が切替制御信号を生成する形態の場合、制御信号出力ユニット１５３は送信側制御部１１３に切替制御信号の生成とその送信を指示する。
【０１６４】
また、切替制御ユニット１５１は、切替制御信号の送信指示と共に、タイマー部１６０に保護タイマーの起動を指示する（Ｓ５０６）。これは、今回の切替制御信号の送信から次に切替制御信号を送信するまでの保護タイマーである。
【０１６５】
一方、ステップＳ５０４で装置状態が特定状態であると判定された場合（Ｓ５０４、Ｙｅｓ）、切替制御信号の送信は不要であると判断される。この場合、切替制御ユニット１５１は切替制御信号を送信することなく処理を終了させる。ステップＳ５０５で保護タイマーが動作中（Ｓ５０５、Ｙｅｓ）と判定された場合の処理もこれと同じである。
【０１６６】
このように、サイレントフェイル状態が検出されても、切替監視部１５０は装置状態が特定状態の場合には切替制御信号の送信を抑制する。
【０１６７】
次に、当該局が受信局側である場合の、別の形態の切替監視部１５０の動作を、図９を参照して説明する。
【０１６８】
上記の説明では、切替監視部１５０が障害検知情報を受信側制御部１２３から受信すると、まず当該障害検知情報の継続を警報監視タイマーで確認してサイレントフェイルの検出を推定した。そして、その後、動作監視部１４０からの情報で当該装置の状態が特殊な状態になっていないことを確認するものとした。しかし、以下に説明する形態では、動作監視部１４０からの情報で当該装置の状態が特殊な状態になっていないことを確認する動作を、警報監視タイマーによるサイレントフェイル検出の確認動作の中で一連の動作として行う。
【０１６９】
受信側制御部１２３は、無線回線の劣化状態を示す情報である障害検知情報を切替監視部１５０に伝達する。
【０１７０】
障害検知情報は、切替監視部１５０の監視信号受信ユニット１５２で受信され、切替制御ユニット１５１に伝えられる（Ｓ６０１）。
【０１７１】
切替制御ユニット１５１は、タイマー部１６０の警報監視タイマーにより、この受信した障害検知情報の所定の継続時間を監視して、無線回線の断線等のサイレントフェイルとみなせる障害か否かを判定する。そのため、切替制御ユニット１５１は、タイマー部１６０の警報監視タイマーを起動する（Ｓ６０２）。
【０１７２】
それと同時に切替制御ユニット１５１は、動作監視部１４０からの装置状態情報を確認する。この装置状態情報は、前述のように動作監視部１４０に要求して取得するものでもよいし、動作監視部１４０からの情報に基づく切替抑制フラグ１５７のＯＮ／ＯＦＦ表示による確認でもよい（Ｓ６０３）。
【０１７３】
切替制御ユニット１５１は、装置状態情報を確認して当該局の装置が特定状態か否かを判定する（Ｓ６０４）。
【０１７４】
装置状態の判定で当該局が特定状態ではないと判定した場合（Ｓ６０４、Ｎｏ）、切替制御ユニット１５１は、現在識別を行っている障害がサイレントフェイルの検出と見なせる場合には切替制御信号の送信が必要であると判断する。そして、切替制御ユニット１５１は、継続して障害検知情報を受信しているか否かを確認する（Ｓ６０６）。
【０１７５】
警報監視タイマーが計時終了する前に障害検知情報が消えてしまったような場合（Ｓ６０６、Ｎｏ）は、天候等による一過性の無線回線の劣化による障害検知と判断し、警報監視タイマーを停止させて（Ｓ６０５）処理を終了させる。
【０１７６】
一方、警報監視タイマーが計時終了するまで障害検知情報が継続した場合（Ｓ６０７、Ｙｅｓ）は、対向局でサイレントフェイルが発生しているとみなす。従って、切替制御ユニット１５１は、警報監視タイマーが計時終了しても障害検知情報が継続している場合には、切替制御信号の送信を制御信号出力ユニット１５３に指示する（Ｓ６０８）。
【０１７７】
一方、ステップＳ６０４で装置状態が特定状態であると判定された場合（Ｓ６０４、Ｙｅｓ）、切替制御信号の送信は不要であると判断される。この場合は、警報監視タイマーを停止させて（Ｓ６０５）処理を終了させる。つまり、切替制御ユニット１５１は、装置状態が特定状態の場合には切替制御信号を送信することなく処理を終了させる。
【０１７８】
上記の図９の説明では保護タイマーについては言及していないが、図８における動作の説明と同様に、ステップＳ６０８の動作の前に保護タイマーの動作の有無を確認するようにしてもよい。保護タイマーが動作している場合は、ステップＳ６０８の処理を行うことなく、ステップＳ６０５の処理で警報監視タイマーを停止させて処理を終了させればよい。また、保護タイマーが動作していない場合は、ステップＳ６０８の処理を行い、その中で保護タイマーの起動を指示すればよい。
【０１７９】
続いて、図１０を参照して当該局が送信局側である場合の切替監視部１５０の動作を説明する。
【０１８０】
当該局がサイレントフェイルを発生させている送信局側であった場合、切替監視部１５０は自局の送信系の系構成を切り替える処理を実行する。その際、切替監視部１５０は、自局の装置状態が必然的にサイレントフェイルを発生させる要因となる装置状態になっている場合には系構成の切り替えは行わない。
【０１８１】
受信側制御部１２３は、対向局から受信した系構成の切り替えを要求する切替制御信号を切替監視部１５０に伝達する。
【０１８２】
切替監視部１５０において、切替制御信号は監視情報受信ユニット１５２で受信され、切替制御ユニット１５１に伝えられる（Ｓ７０１）。切替制御ユニット１５１は、切替制御信号を識別すると、動作監視部１４０からの装置状態情報を確認する。この装置状態情報は、前述のように動作監視部１４０に要求して取得するものでもよいし、動作監視部１４０からの情報に基づく切替抑制フラグ１５７のＯＮ／ＯＦＦ表示による確認でもよい（Ｓ７０２）。
【０１８３】
切替制御ユニット１５１は、装置状態情報を確認して当該局の装置が特定状態か否かを判定する（Ｓ７０３）。「特定状態」というのは前述したように、当該局が通常の運転状態ではなく、「メンテナンス専用モード」、「装置立ち上げ状態」、「再立ち上げ状態」のような、必然的にサイレントフェイルと同等の状態を発生してもおかしくない状態を作り出す装置状態を云う。
【０１８４】
装置状態の判定で当該局が特定状態ではないと判定した場合（Ｓ７０３、Ｎｏ）、切替制御ユニット１５１は系切替信号の送信が必要であると判断する。
【０１８５】
系切替信号の送信が必要であると判断した切替制御ユニット１５１は、タイマー部１６０の保護タイマーの動作状態を確認する（Ｓ７０４）。この保護タイマーは、前述したように、前回の系切替信号の送信から所定の時間が経過する前に対向局が検出したサイレントフェイルに起因する切替制御信号の受信を無効にする保護時間を規定している。つまり、保護時間内の切替制御信号の受信は、前回の系切替信号送信による処置が終了していないことに起因するものとみなす。そのため、保護タイマーが動作中（Ｓ７０４、Ｙｅｓ）は、系切替信号の送信は不要であると判断する。
【０１８６】
保護タイマーが動作していない場合（Ｓ７０４、Ｎｏ）は、前回の系切替信号の送信から所定の時間がすでに経過していることを意味し、切替制御ユニット１５１は系切替信号の送信を制御信号出力ユニット１５３に指示する（Ｓ７０５）。
【０１８７】
制御信号出力ユニット１５３は系切替信号を生成して送信側制御部１１３に送信して送信系の系構成の切り替えを指示する。
【０１８８】
また、切替制御ユニット１５１は、系切替信号の送信指示と共に、タイマー部１６０に保護タイマーの起動を指示する（Ｓ７０５）。これは、今回の系切替信号の送信から次に系切替信号を送信するまでの保護タイマーである。
【０１８９】
一方、ステップＳ８０３で装置状態が特定状態であると判定された場合（Ｓ７０３、Ｙｅｓ）、系切替信号の送信は不要であると判断される。この場合、切替制御ユニット１５１は系切替信号を送信することなく処理を終了させる。ステップＳ７０４で保護タイマーが動作中（Ｓ７０４、Ｙｅｓ）と判定された場合の処理もこれと同じである。
【０１９０】
このように、切替制御信号を受信しても、切替監視部１５０は装置状態が特定状態の場合には系切替信号の送信を抑制する。
【０１９１】
次に、当該局が送信局側である場合の、別の形態の切替監視部１５０の動作を、図１１を参照して説明する。
【０１９２】
上記の説明では、切替監視部１５０が系切替信号を送信する際に、前回の系切替信号送信からの所定時間の経過を確認した。しかし、別の形態では、切替制御信号の受信から系切替信号の送信までの時間を所定時間になるように、切替要求制御タイマーで時間を監視する構成になっている。
【０１９３】
受信側制御部１２３は、対向局から受信した系構成の切り替えを要求する切替制御信号を切替監視部１５０に伝達する。切替監視部１５０において、切替制御信号は監視情報受信ユニット１５２で受信され、切替制御ユニット１５１に伝えられる（Ｓ８０１）。
【０１９４】
切替制御ユニット１５１は、切替制御信号を識別すると、切替要求制御タイマーが動作中か否かを識別する（Ｓ８０２）。
【０１９５】
切替要求制御タイマーは、後述するように切替制御信号を受信してから起動され、所定時間を計時したのちタイムアウトとなる。そして切替要求制御タイマーがタイムアウトすると系切替信号が送信される。従って、ステップＳ８０２の段階で切替要求制御タイマーが動作中ということは、前回の切替制御信号の受信から所定の時間を経過することなく再度切替制御信号を受信していることを意味する。このような切替制御信号は無効と見なされ、処理を終了する（Ｓ８０２、Ｙｅｓ）。
【０１９６】
切替制御信号が適正なものであることを確認すると、切替制御ユニット１５１は、切替要求制御タイマーを起動する（Ｓ８０３）。そして、切替制御ユニット１５１は、動作監視部１４０からの装置状態情報を確認する。この装置状態情報は、前述のように動作監視部１４０に要求して取得するものでもよいし、動作監視部１４０からの情報に基づく切替抑制フラグ１５７のＯＮ／ＯＦＦ表示による確認でもよい（Ｓ８０４）。
【０１９７】
切替制御ユニット１５１は、装置状態情報を確認して当該局の装置が前述したような特定状態か否かを判定する（Ｓ８０５）。
【０１９８】
装置状態の判定で当該局が特定状態ではないと判定した場合（Ｓ８０５、Ｎｏ）、切替制御ユニット１５１は系切替信号を送信して系構成の切り替えを行う必要があると判断する。
【０１９９】
一方、装置状態の判定で当該局が特定状態であると判定した場合（Ｓ８０５、Ｙｅｓ）、切替制御ユニット１５１は系切替信号の送信は不要であると判断する。この場合、切替制御ユニット１５１はこれ以上の処理を行わないので、切替要求制御タイマーを停止させて（Ｓ８０６）、処理を終了する。つまり、切替制御信号を受信しても、切替監視部１５０は装置状態が特定状態の場合には系切替信号の送信を抑制する。
【０２００】
系切替信号の送信が必要であると判断した切替制御ユニット１５１は、切替要求制御タイマーが計時終了するのを待つ（Ｓ８０７）。
【０２０１】
切替要求制御タイマーが計時終了すると（Ｓ８０７、Ｙｅｓ）、切替制御信号の受信から所定の制御時間が経過したことを意味するので、切替制御ユニット１５１は系切替信号の送信を制御信号出力ユニット１５３に指示する（Ｓ８０８）。
【０２０２】
制御信号出力ユニット１５３は系切替信号を生成して送信側制御部１１３に送信して送信系の系構成の切り替えを指示する。
【０２０３】
以上に説明したように、本実施形態においては、当該局の状態が必然的にサイレントフェイルを発生または検出する特定状態になっていることを識別した場合には、サイレントフェイルに対処する制御を抑制する。つまり、装置状態が特定状態であった場合は、サイレントフェイル検出が実際のサイレントフェイルとは別の原因、つまり設定変更状態や再立ち上げ状態を起因として発生したサイレントフェイルであると判断する。そのため、本実施形態のホットスタンバイ回線切替装置は、受信局側においても、送信局側においても、特定状態になっている場合はサイレントフェイルに対処する制御を抑制するように制御している。これにより不必要な系切替の実施を抑制して回線エラーの多発を防ぐことができる。
【０２０４】
また、以上に第２の実施形態のホットスタンバイ回線切替装置２を説明したが、切替監視部１５０を、監視部と制御部とに分離した構成でもかまわない。図１２は、このような第２の実施形態のホットスタンバイ回線切替装置の変形例の構成を示すブロック図である。この変形例のホットスタンバイ回線切替装置３は、切替監視部１７０と切替制御部１８０を有する。
【０２０５】
切替監視部１７０は受信側制御部１２３から、障害検知情報や切替制御情報を例にして説明した切り替えに関わる情報を収集して、切替制御部１８０に送信する。切替制御部１８０は切替監視部１７０と動作監視部１４０のそれぞれから情報を取得し、タイマー部１６０のカウント制御を実施して、第２の実施形態で説明したホットスタンバイ回線切替装置２と同様の制御を行う。
【０２０６】
これにより、この変形例のホットスタンバイ回線切替装置３においても、不必要な系切替の実施を抑制して回線エラーの多発を防ぐことができる。
【符号の説明】
【０２０７】
１、２、３    ホットスタンバイ回線切替装置
１０    送信手段
２０    受信手段
３０    装置制御手段
４０    動作監視手段
５０    切替監視手段
１１１    無線変調部
１１２    無線送信部
１１３    送信側制御部
１１４    送信側切替部
１２１    無線復調部
１２２    無線受信部
１２３    受信側制御部
１２４    受信側切替部
１３０    制御部
１４０    動作監視部
１５０、１７０    切替監視部
１６０    タイマー部
１８０    切替制御部
１４１    装置状態取得ユニット
１４２    記憶ユニット
１４３    取得要求受付ユニット
１４４    装置状態受信ユニット
１４５    装置状態通知ユニット
１５１    切替制御ユニット
１５２    監視情報受信ユニット
１５３    制御信号出力ユニット
１５４    装置状態要求ユニット
１５５    記憶ユニット
１５６    装置状態設定ユニット
１５７    切替抑制フラグ
【図１】
2014039112.tif 000003
【図２】
2014039112.tif 000004
【図３】
2014039112.tif 000005
【図４】
2014039112.tif 000006
【図５】
2014039112.tif 000007
【図６】
2014039112.tif 000008
【図７】
2014039112.tif 000009
【図８】
2014039112.tif 000010
【図９】
2014039112.tif 000011
【図１０】
2014039112.tif 000012
【図１１】
2014039112.tif 000013
【図１２】
2014039112.tif 000014